(57)【要約】【課題】露出期間のバラつきが抑制された撮像装置を提供することを課題とする。【解決手段】フォーカルプレーンシャッタは、開口を有した基板と、第１及び第２アクチュエータと、前記第１及び第２アクチュエータによりそれぞれ駆動されて前記開口から退避した退避位置又は前記開口を閉じる閉鎖位置間を走行可能な第１及び第２幕と、前記第１幕が走行軌跡上の第１位置を通過したことを検出する第１検出部と、を有し、前記第１幕が前記閉鎖位置にあり前記第２幕が前記退避位置にある場合に、前記第１検出部は、前記第１幕が前記開口から退避するように走行して前記第１位置を通過したことを検出する出力信号を出力し、前記第２幕は、前記第１検出部が前記出力信号を出力してから所定期間経過後に前記開口を閉じるように走行する。【選択図】図６
0003176166.tif 000002
【実用新案登録請求の範囲】
【請求項１】
開口を有した基板と、
第１及び第２アクチュエータと、
前記第１及び第２アクチュエータによりそれぞれ駆動されて前記開口から退避した退避位置又は前記開口を閉じる閉鎖位置間を走行可能な第１及び第２幕と、
前記第１幕が走行軌跡上の第１位置を通過したことを検出する第１検出部と、を有し、
前記第１幕が前記閉鎖位置にあり前記第２幕が前記退避位置にある場合に、前記第１検出部は、前記第１幕が前記開口から退避するように走行して前記第１位置を通過したことを検出する出力信号を出力し、前記第２幕は、前記第１検出部が前記出力信号を出力してから所定期間経過後に前記開口を閉じるように走行する、フォーカルプレーンシャッタ。
【請求項２】
前記第２幕が走行軌跡上の第２位置を通過したことを検出する第２検出部を有し、
前記第１幕が前記退避位置にあり前記第２幕が前記閉鎖位置にある場合に、前記第２検出部は、前記第２幕が前記開口から退避するように走行して前記第２位置を通過したことを検出する出力信号を出力し、前記第１幕は、前記第２検出部が前記出力信号を出力してから所定期間経過後に前記開口を閉じるように走行する、請求項１のフォーカルプレーンシャッタ。
【請求項３】
前記第１幕は、前記第１幕が走行する際に最も走行範囲が大きい第１羽根を含み、
前記第１位置は、前記第１幕が前記閉鎖位置にある場合での前記第１羽根の位置から前記開口の中心位置までの間にある、請求項１又は２のフォーカルプレーンシャッタ。
【請求項４】
前記第２幕は、前記第２幕が走行する際に最も走行範囲が大きい第２羽根を含み、
前記第２位置は、前記第２幕が前記閉鎖位置にある場合での前記第２羽の位置から前記開口の中心位置までの間にある、請求項１乃至３の何れかのフォーカルプレーンシャッタ。
【請求項５】
前記第１及び第２検出部は、前記開口の全開状態を検知する、請求項１乃至４の何れかのフォーカルプレーンシャッタ。
【請求項６】
前記退避位置に向けて前記第１幕及び第２幕をそれぞれ付勢する第１及び第２付勢部材を備えた、請求項１乃至５の何れかのフォーカルプレーンシャッタ。
【請求項７】
請求項１乃至６の何れかのフォーカルプレーンシャッタと、
前記第１幕が前記閉鎖位置にあり前記第２幕が前記退避位置にある場合に、前記第１アクチュエータを制御して前記第１幕を走行させ、前記第１検出部が前記出力信号を出力したことを検出してから所定期間経過後に前記第２アクチュエータを制御して前記第２幕を走行させる制御部と、を備えた撮像装置。
【考案の詳細な説明】
【技術分野】
【０００１】
本考案は、フォーカルプレーンシャッタ及び撮像装置に関する。
【背景技術】
【０００２】
特許文献１、２には、先幕及び後幕をそれぞれ駆動する先幕アクチュエータ及び後幕アクチュエータを備えたフォーカルプレーンシャッタが開示されている。
【先行技術文献】
【特許文献】
【０００３】
【特許文献１】特公平５−７９９６９号公報
【特許文献２】特許第２５２５４５９号公報
【考案の概要】
【考案が解決しようとする課題】
【０００４】
露出作動時においては、先幕アクチュエータのコイルが通電されて先幕の走行を開始し、この先幕アクチュエータの駆動開始時から予め設定された一定期間経過後に後幕アクチュエータのコイルが通電された後幕の走行が開始する。
【０００５】
部品の成型精度や組付け精度などによっては、先幕の走行スピードにバラつきが生じたり、又は先幕アクチュエータへの通電が開始されてから先幕が走行を開始するまでの期間にバラつきが生じるおそれがある。このように先幕の走行特性にバラつきが生じると、露出期間にバラつきが生じるおそれがある。後幕は、先幕アクチュエータへの通電の開始を基準として一定期間経過後に駆動が開始されるからである。
【０００６】
そこで本考案は、露出期間のバラつきが抑制されたフォーカルプレーンシャッタ及び撮像装置を提供することを目的とする。
【課題を解決するための手段】
【０００７】
上記目的は、開口を有した基板と、第１及び第２アクチュエータと、前記第１及び第２アクチュエータによりそれぞれ駆動されて前記開口から退避した退避位置又は前記開口を閉じる閉鎖位置間を走行可能な第１及び第２幕と、前記第１幕が走行軌跡上の第１位置を通過したことを検出する第１検出部と、を有し、前記第１幕が前記閉鎖位置にあり前記第２幕が前記退避位置にある場合に、前記第１検出部は、前記第１幕が前記開口から退避するように走行して前記第１位置を通過したことを検出する出力信号を出力し、前記第２幕は、前記第１検出部が前記出力信号を出力してから所定期間経過後に前記開口を閉じるように走行する、フォーカルプレーンシャッタによって達成できる。
【０００８】
第１幕が第１位置を通過したことを検出した時を基準として第２幕の走行開始時を設定することにより、第１幕の走行特性のバラつきによる影響を抑制して露出期間のバラつきを抑制することができる。
【０００９】
また、上記目的は、前記フォーカルプレーンシャッタと、前記第１幕が前記閉鎖位置にあり前記第２幕が前記退避位置にある場合に、前記第１アクチュエータを制御して前記第１幕を走行させ、前記第１検出部が前記出力信号を出力したことを検出してから所定期間経過後に前記第２アクチュエータを制御して前記第２幕を走行させる制御部と、を備えた撮像装置によっても達成できる。
【考案の効果】
【００１０】
本考案によれば、露出期間のバラつきが抑制されたフォーカルプレーンシャッタ及び撮像装置を提供できる。
【図面の簡単な説明】
【００１１】
【図１】図１は、フォーカルプレーンシャッタを備えたカメラのブロック図である。
【図２】図２は、フォーカルプレーンシャッタの正面図である。
【図３】図３Ａ、３Ｂは、センサの説明図である。
【図４】図４は、通常動作時でのフォーカルプレーンシャッタのタイミングチャートである。
【図５】図５は、フォーカルプレーンシャッタの動作の説明図である。
【図６】図６は、フォーカルプレーンシャッタの動作の説明図である。
【図７】図７は、フォーカルプレーンシャッタの動作の説明図である。
【図８】図８は、フォーカルプレーンシャッタの動作の説明図である。
【図９】図９は、連写動作時でのフォーカルプレーンシャッタのタイミングチャートである。
【考案を実施するための形態】
【００１２】
図１は、フォーカルプレーンシャッタ１を備えたカメラ（撮像装置）Ａのブロック図である。カメラＡは、フォーカルプレーンシャッタ１、制御部１１０、撮像素子１３０、駆動制御部１７０を備えている。フォーカルプレーンシャッタ１は、詳しくは後述するが先幕アクチュエータ（以下、アクチュエータと称する）７０ａ、後幕アクチュエータ（以下、アクチュエータと称する）７０ｂ、先幕センサ（以下、センサと称する）６０ａ、後幕センサ（以下、センサと称する）６０ｂを備えている。駆動制御部１７０は、制御部１１０からの指令に応じてアクチュエータ７０ａ、７０ｂの駆動を制御する。駆動制御部１７０は、ＣＰＵ等を備えている。制御部１１０は、詳しくは後述するがセンサ６０ａ、６０ｂからの信号に応じて駆動制御部１７０に所定の指令を出す。駆動制御部１７０は、この指令を受けてアクチュエータ７０ａ、７０ｂの駆動を制御する。制御部１１０は、カメラ全体の動作を制御し、ＣＰＵ、ＲＯＭ、ＲＡＭ等を備えている。撮像素子１３０は、ＣＭＯＳである。撮像素子１３０は、被写体像を光電変換作用により電気的信号に変換する受光素子である。尚、カメラＡは、図１には図示していないが、焦点距離を調整するためのレンズ等を備えている。
【００１３】
図２は、フォーカルプレーンシャッタ１の正面図である。図２では、アクチュエータ７０ａ、７０ｂについては省略してある。フォーカルプレーンシャッタ１は、基板１０、先幕２０Ａ、後幕２０Ｂ、アーム３１ａ、３２ａ、３１ｂ、３２ｂ、アクチュエータ７０ａ、７０ｂ等を有している。基板１０には、矩形状の開口１１を有している。先幕２０Ａ、後幕２０Ｂは、それぞれ第１及び第２幕の一例である。また、アクチュエータ７０ａ、７０ｂは、それぞれ第１及び第２アクチュエータの一例である。
【００１４】
先幕２０Ａは、３枚の羽根２１ａ〜２３ａから構成され、後幕２０Ｂは、３枚の羽根２１ｂ〜２３ｂから構成される。図２は、先幕２０Ａ、後幕２０Ｂが重畳状態である場合を示している。図２の場合には、先幕２０Ａ、後幕２０Ｂは開口１１から退避している。先幕２０Ａはアーム３１ａ、３２ａに連結されている。後幕２０Ｂは、アーム３１ｂ、３２ｂに連結されている。これらアーム３１ａ、３２ａ、３１ｂ、３２ｂは、それぞれ基板１０に回転自在に支持されている。
【００１５】
基板１０には、アーム３１ａ、３１ｂをそれぞれ駆動するための先幕駆動レバー（以下、駆動レバーと称する）５５ａ、後幕駆動レバー（以下、駆動レバーと称する）５５ｂが設けられている。駆動レバー５５ａ、５５ｂは、それぞれ歯車５０ａ、５０ｂに連結されている。歯車５０ａ、５０ｂは、それぞれ歯車４０ａ、４０ｂと噛合している。歯車４０ａ、４０ｂ、５０ａ、５０ｂは、それぞれ筒部４１ａ、４１ｂ、５１ａ、５１ｂを有し、各筒部と嵌合する軸４２ａ、４２ｂ、５２ａ、５２ｂを中心に基板１０に回転可能に支持されている。尚、軸４２ａ、４２ｂ、５２ａ、５２ｂは必ずしも開口１１が形成された基板１０に形成されていなくてもよく、開口１１に対して定位置に設ければよい。歯車４０ａ、４０ｂは、それぞれアクチュエータ７０ａ、７０ｂのロータに連結されている。アクチュエータ７０ａが駆動することにより、歯車４０ａ、５０ａが駆動し、これにより駆動レバー５５ａが駆動する。駆動レバー５５ａが駆動することにより、アーム３１ａが駆動する。これにより、先幕２０Ａが走行する。先幕２０Ａは、開口１１から退避した退避位置及び開口１１を閉鎖する閉鎖位置間を走行可能である。先幕２０Ａは、アクチュエータ７０ａにより退避位置及び閉鎖位置間を走行する。歯車４０ｂ、５０ｂ、駆動レバー５５ｂ、後幕２０Ｂについても同様である。
【００１６】
歯車４０ａ、４０ｂには、それぞれ薄板４５ａ、４５ｂが設けられている。薄板４５ａ、４５ｂはそれぞれ歯車４０ａ、４０ｂと共に回転する。薄板４５ａ、４５ｂはそれぞれ扇状である。センサ６０ａ、６０ｂは、詳しくは後述するが、基板１０上に配置されている。センサ６０ａ、６０ｂは、それぞれ第１、第２検出部の一例である。
【００１７】
また、アーム３１ａ、３１ｂにはそれぞれバネＳａ、Ｓｂが連結されている。詳細には、バネＳａの一端はアーム３１ａに連結され他端は基板１０に連結されている。バネＳｂの一端はアーム３１ｂに連結され他端は基板１０に連結されている。バネＳａ、Ｓｂは、それぞれ先幕２０Ａ、後幕２０Ｂが開口１１から退避するようにアーム３１ａ、３１ｂを付勢している。バネＳａ、Ｓｂはそれぞれ第１、第２付勢部材の一例である。
【００１８】
図３Ａ、３Ｂは、センサ６０ａの説明図である。センサ６０ａは、基板１０上に配置されている。センサ６０ａは、互いに対向するように配置された発光素子６２、受光素子６３を有している。発光素子６２から照射された光は、受光素子６３で受光される。図３Ａ、３Ｂに示すように、駆動レバー５５ａの回転に応じて、薄板４５ａは、発光素子６２、受光素子６３間に移動する。薄板４５ａが発光素子６２、受光素子６３間に位置すると、発光素子６２から照射された光は遮断される。この際に受光素子６３の出力信号に基づいて、薄板４５ａが発光素子６２と受光素子６３との間に位置しているか否かが検出され、これにより駆動レバー５５ａの位置を検出することができる。この結果、先幕２０Ａが所定の位置を通過したか否かを検出できる。尚、センサ６０ｂ、薄板４５ｂについても同様である。
【００１９】
尚、センサ６０ａは上記のような構成に限定されない。例えば、センサ６０ａは、発光素子と、発光素子の光を反射するミラーと、ミラーにより反射された光を受光する受光素子と、を含む構成であってもよい。薄板４５ａが、発光素子とミラーとの間、または、受光素子とミラーとの間に位置することにより、薄板４５ａの位置を検出できる。
【００２０】
次に、フォーカルプレーンシャッタ１の通常動作について説明する。図４は、通常動作時でのフォーカルプレーンシャッタ１のタイミングチャートである。図５〜８は、フォーカルプレーンシャッタ１の動作の説明図である。尚、図５〜８においては、一部構成を省略してある。
【００２１】
待機状態においては、図２に示すように先幕２０Ａ、後幕２０Ｂは、退避位置に位置づけられ開口１１は全開状態のままに維持される。この状態では、薄板４５ａは、センサ６０ａの発光素子６２と受光素子６３との間に位置している。同様に薄板４５ｂもセンサ６０ｂの発光素子と受光素子との間に位置している。尚、図４に示したセンサ６０ａの出力信号は、詳細には受光素子６３の出力信号である。発光素子６２からの光が薄板４５ａにより遮蔽された際には受光素子６３はＬ信号を制御部１１０に出力し、発光素子６２からの光を受けた場合には受光素子６３はＨ信号を制御部１１０に出力する。センサ６０ｂについても同様である。尚、図２に示す待機状態において、先幕２０Ａ、後幕２０Ｂは、それぞれバネＳａ、Ｓｂにより開口１１から退避した位置で維持されている。
【００２２】
ここで、センサ６０ａ、６０ｂの出力信号は、Ｌ信号を制御部１１０に出力しており、センサ６０ａ、６０ｂは、開口１１の全開状態を検知するセンサとして機能している。この機能によりカメラＡは、撮像素子からの出力を液晶モニター等にリアルタイムに映し出すライブビューモードに対応可能である。
【００２３】
カメラＡのレリーズスイッチが押されると、チャージ動作が開始される。チャージ動作が開始されると、アクチュエータ７０ａのコイルに通電されて先幕２０Ａは開口１１を閉じるように走行する。具体的には、歯車４０ａが反時計方向に回転して歯車５０ａが時計方向に回転して３１ａが駆動する。また、アクチュエータ７０ｂのコイルには、後幕２０Ｂが開口１１に向けて一度移動するように通電される。その後、後幕２０Ｂが開口１１を完全に閉じる前にアクチュエータ７０ｂのコイルへの通電方向が切り替えられて、後幕２０Ｂは開口１１から退避する。
【００２４】
その後、先幕２０Ａが開口１１を閉鎖し後幕２０Ｂが開口１１から退避した状態でアクチュエータ７０ａ、７０ｂのコイルへの通電が遮断される。このようにしてチャージ動作が完了する。図５は、チャージ動作が完了した状態でのフォーカルプレーンシャッタ１の状態を示している。図５では、先幕２０Ａが閉鎖位置にあり後幕２０Ｂが退避位置にある。尚、図５に示すように、先幕２０Ａが開口１１を閉鎖する過程で薄板４５ａはセンサ６０ａから退避する。これにより、センサ６０ａからの出力信号はＬ信号からＨ信号に切り替わる。
【００２５】
チャージ動作完了後、所定の休止期間を経て、露出動作が開始される。制御部１１０は駆動制御部１７０に指令を出してアクチュエータ７０ａのコイルを通電して先幕２０Ａが開口１１を開くように走行させる。具体的には、歯車４０ａが時計方向に駆動し歯車５０ａが反時計方向に駆動する。先幕２０Ａは、バネＳａの付勢方向と同じ方向に走行する。先幕２０Ａが開口１１から退避する過程で、薄板４５ａはセンサ６０ａに進行する。図６は、薄板４５ａがセンサ６０ａに進行する状態を示しており、センサ６０ａからの出力信号がＨ信号からＬ信号に切り替わるときを示している。センサ６０ａの出力信号が切り替わるタイミングは、先幕２０Ａの羽根２１ａが地点Ｄａから退避したときに設定されている。換言すれば、先幕２０Ａの開口１１からの退避により撮像素子１３０の露光が開始されるタイミングである。地点Ｄａは、羽根２１ａが開口１１から退避し始める地点である。地点Ｄａは第１位置の一例である。このようにセンサ６０ａは、先幕２０Ａが閉鎖位置にあり後幕２０Ｂが退避位置にある場合に、先幕２０Ａが開口１１から退避するように走行して第１位置を通過したことを検出する出力信号を発生する。制御部１１０は、センサ６０ａからの出力信号の切り替わりを検出することにより、先幕２０Ａが地点Ｄａを通過したことを検出することができる。尚、センサ６０ａの出力信号が切り替わるタイミングはこのタイミングに限定されない。
【００２６】
制御部１１０はセンサ６０ａの出力信号がＨ信号からＬ信号に切り替わったことを検出してから所定期間経過後にアクチュエータ７０ｂのコイルに通電して後幕２０Ｂの走行を開始する。後幕２０Ｂは、バネＳｂの付勢方向とは反対方向に走行する。これにより、後幕２０Ｂが開口１１を閉じるように走行する。図７は、詳しくは後述するが後幕２０Ｂの走行途中での状態を示している。先幕２０Ａが開口１１から完全に退避し後幕２０Ｂが開口１１を完全に閉鎖するとアクチュエータ７０ａ、７０ｂのコイルへの通電は遮断される。図８は、先幕２０Ａが退避位置にあり後幕２０Ｂが閉鎖位置にある状態を示している。このようにして、露出動作が終了する。先幕２０Ａが開口１１を開き始めたときから後幕２０Ｂが開口１１を完全に閉じるまでの間の期間を露出期間と称する。
【００２７】
露出動作終了後、制御部３００のＲＡＭや又はカメラ側のメモリにデータが読み込まれる。次に、アクチュエータ７０ｂのコイルが通電されて後幕２０Ｂが開口１１から退避し、開口１１は全開状態が維持されて、図２に示した初期状態に戻る。
【００２８】
以上のように、制御部１１０は、走行している先幕２０Ａが所定位置を通過したことを検出してから所定期間経過後に、アクチュエータ７０ｂのコイルに通電を開始して後幕２０Ｂの走行を開始する。
【００２９】
例えば、先幕２０Ａの走行を開始してから所定期間経過した後に後幕２０Ｂの走行を開始する場合、部品の成型精度や組み付け精度等によっては、先幕２０Ａの走行特性にバラつきが生じるおそれがある。先幕２０Ａの走行特性にバラつきがあると、露出期間にバラつきが生じるおそれがある。先幕２０Ａが走行を開始してから予め定められた一定期間を経過後に後幕２０Ｂの走行が開始されるからである。また、露光動作時においては、先幕２０ＡはバネＳａの付勢方向と同じ方向に走行するが、後幕２０ＢはバネＳｂの付勢方向と反対方向に走行する。このため、アクチュエータ７０ａ、７０ｂの負荷がそれぞれ異なり、フォーカルプレーンシャッタ１の継続的な使用によりアクチュエータ７０ａ、７０ｂのコイルの温度差が大きくなるおそれがある。これにより、一方のコイルの抵抗値が他方のコイルの抵抗値よりも小さくなり、一方のコイルに流れる電流量が変化し、アクチュエータ７０ａ、７０ｂの回転速度の差が大きくなるおそれがある。このような原因によっても先幕２０Ａの走行特性と後幕２０Ｂの走行特性との差が大きくなるおそれがある。
【００３０】
本実施例の場合、センサ６０ａの出力の変化に基づいて先幕２０Ａが所定位置を実際に通過したことを検出し、先幕２０Ａが所定位置を実際に通過した検出してから所定期間経過後に後幕２０Ｂの走行が開始する。このため、先幕２０Ａの走行特性のバラつきがある場合であっても、先幕２０Ａの走行特性に応じて後幕２０Ｂの走行開始のタイミングが設定される。これにより、露出期間のバラつきを抑制される。
【００３１】
尚、先幕２０Ａの通過が検出される地点は、先幕２０Ａが閉鎖位置にある場合での羽根２１ａの位置から開口１１の中心位置までの間であればよい。先幕２０Ａの走行が開始されてからできる限り早い時期に後幕２０Ｂの走行を開始するためである。尚、羽根２１ａは、先幕２０Ａの羽根２１ａ〜２３ａのうち最も走行範囲の大きい第１羽根である。
【００３２】
次に、フォーカルプレーンシャッタ１の連写動作について説明する。図９は、連写動作時でのフォーカルプレーンシャッタ１のタイミングチャートである。待機状態においてレリーズスイッチが押されると、前述したようにチャージ動作が開始され、図５に示したように先幕２０Ａが開口１１を閉じ後幕２０Ｂは開口１１から退避した状態になる。チャージ動作完了後、所定の休止期間を経て、１フレーム分の露出動作が開始される。制御部１１０はアクチュエータ７０ａのコイルに通電を開始し、先幕２０Ａの羽根２１ａが地点Ｄａから退避したことを検出してから後幕２０Ｂの走行を開始する。これにより、図８に示すように後幕２０Ｂが開口１１を閉鎖する。このようにこの場合においても、先幕２０Ａが所定位置を通過してから所定期間経過後に後幕２０Ｂの走行が開始される。
【００３３】
次に所定の休止期間の経過後、２フレーム目の露出動作が開始される。制御部１１０は、図８に示した状態、すなわち、先幕２０Ａが退避位置にあり後幕２０Ｂが閉鎖位置にある状態からアクチュエータ７０ｂのコイルに通電をして後幕２０Ｂを開口１１から退避するように走行させる。後幕２０Ｂが開口１１を開く過程で、薄板４５ｂはセンサ６０ｂに進行する。図７は、薄板４５ｂがセンサ６０ｂに進行する状態を示しており、センサ６０ｂからの出力信号がＨ信号からＬ信号に切り替わるときを示している。センサ６０ｂの出力信号が切り替わるタイミングは、後幕２０Ｂの羽根２１ｂが地点Ｄｂから退避したときに設定されている。地点Ｄｂは、羽根２１ｂが開口１１から退避し始める地点である。換言すれば、後幕２０Ｂの開口１１からの退避により撮像素子１３０の露光が開始されるタイミングである。地点Ｄｂは、第２位置の一例である。このようにセンサ６０ｂは、先幕２０Ａが退避位置にあり後幕２０Ｂが閉鎖位置にある場合に、後幕２０Ｂが開口１１から退避するように走行して第２位置を通過したことを検出する出力信号を発生する。尚、センサ６０ｂの出力信号が切り替わるタイミングはこのタイミングに限定されない。
【００３４】
制御部１１０はセンサ６０ｂの出力信号がＨ信号からＬ信号に切り替わったことを検出してから所定期間経過後にアクチュエータ７０ａのコイルに通電して先幕２０Ａの走行を開始する。これにより、先幕２０Ａが開口１１を閉じるように走行する。以上の動作を繰り返すことにより、連写が行われる。
【００３５】
以上のように、連写時においては、先幕２０Ａよりも先に後幕２０Ｂを駆動させて露出動作する場合においても、後幕２０Ｂが所定の位置を通過したことを検出してから所定期間経過後に先幕２０Ａの駆動を開始する。ここで、後幕２０Ｂの走行を開始してから予め設定された一定期間経過後に先幕２０Ａの駆動を開始する場合も同様に、部品の成型精度や組付け精度等によって、後幕２０Ｂの走行特性がバラつき、露出期間にバラつきが生じるおそれがある。また、先幕２０Ａと後幕２０Ｂの一定期間内での移動量は、先幕２０Ａと後幕２０Ｂの構成上の差異、例えば、バネＳａ、Ｓｂの付勢状態、開口１１までの距離等、により異なるため、先幕２０Ａの走行特性と後幕２０Ｂの走行特性との差がさらに大きくなるおそれがある。したがって、先幕２０Ａが後幕２０Ｂよりも先に駆動される場合と、後幕２０Ｂが先幕２０Ａよりも先に駆動される場合とで露出期間にバラつきが生じるおそれがある。上記実施例においては、先幕２０Ａ、後幕２０Ｂが所定の位置を通過したことを検知してから所定期間経過後に、それぞれ後幕２０Ｂ、先幕２０Ａの駆動を開始する。これにより、連写時においては、先幕２０Ａが後幕２０Ｂよりも先に駆動する場合、後幕２０Ｂが先幕２０Ａよりも先に駆動する場合の双方の場合で、露出期間のバラつきが抑制される。これにより、連写時でも露出期間のバラつきが抑制される。
【００３６】
尚、後幕２０Ｂの通過が検出される地点は、後幕２０Ｂが閉鎖位置にある場合での羽根２１ｂの位置から開口１１の中心位置までの間であればよい。後幕２０Ｂの走行が開始されてからできる限り早い時期に先幕２０Ａの走行を開始するためである。尚、羽根２１ｂは、後幕２０Ｂの羽根２１ｂ〜２３ｂのうち最も走行範囲の大きい第２羽根である。
【００３７】
以上本考案の好ましい実施形態について詳述したが、本考案は係る特定の実施形態に限定されるものではなく、特許請求の範囲に記載された本考案の要旨の範囲内において、変形・変更が可能である。
【００３８】
制御部１１０と駆動制御部１７０は、単一のＩＣチップにより実現されていてもよい。
【００３９】
上記実施例において、先幕及び後幕は、それぞれ３枚の羽根から構成されるが、これに限定されない。
【符号の説明】
【００４０】
１  フォーカルプレーンシャッタ
１０  基板
１１  開口
２０Ａ  先幕
２０Ｂ  後幕
２１ａ〜２３ａ、２１ｂ〜２３ｂ  羽根
３１ａ、３２ａ、３１ｂ、３２ｂ  アーム
４０ａ、４０ｂ、５０ａ、５０ｂ  歯車
４５ａ、４５ｂ  薄板
５５ａ  先幕駆動レバー
５５ｂ  後幕駆動レバー
６０ａ  先幕センサ
６０ｂ  後幕センサ
６２  発光素子
６３  受光素子
７０ａ  先幕アクチュエータ
７０ｂ  後幕アクチュエータ
１１０  制御部
１３０  撮像素子
１７０  駆動制御部
【図１】
0003176166.tif 000003
【図２】
0003176166.tif 000004
【図３】
0003176166.tif 000005
【図４】
0003176166.tif 000006
【図５】
0003176166.tif 000007
【図６】
0003176166.tif 000008
【図７】
0003176166.tif 000009
【図８】
0003176166.tif 000010
【図９】
0003176166.tif 000011